(57)【要約】  本発明は、多機能歯科シリンジ用のカニューレであって、円形開口（１２１０）と、端壁（１２２０）と、円筒部を構成する側壁とによって定められる固定ブッシュ（１２００）を備える多機能歯科シリンジ用のカニューレを提供する。カニューレは、端壁（１２２０）から流体射出オリフィスへと複数の流体を個々にまたはともに送り込むことが可能な少なくとも２つの流路（１１２０、１１２５）をさらに備え、該２つの流路は、端壁（１２２０）から互いに並んで始まる。カニューレは、円筒部がその壁の厚さ方向に切り欠き（Ｄ）を有し、切り欠きが、開口（１２１０）側から順に、筒部の軸方向以外の方向に延びる少なくとも１つのセグメント（１２６５）と、該セグメントに連なり端壁（１２２０）に向かって延びる長手セグメント（１２７０）と、を含むことを特徴とする。【選択図】図６
2015500076.tif 000002
【特許請求の範囲】
【請求項１】
多機能歯科シリンジ用のカニューレ（１０００）であって、前記カニューレは、円形開口（１２１０）と、端壁（１２２０）と、円筒部を構成する側壁とによって定められる固定ブッシュ（１２００）を備え、
前記カニューレは、
前記端壁（１２２０）から流体射出オリフィスへと複数の流体を個々にまたはともに送り込むことが可能な少なくとも２つの流路（１１２０、１１２５）をさらに備え、
前記２つの流路は、前記端壁（１２２０）から互いに並んで始まり、
前記カニューレは、
前記円筒部が、その壁の厚さ方向に切り欠き（Ｄ）を有し、
前記切り欠きが、前記開口（１２１０）側から順に、前記筒部の軸方向以外の方向に延びる少なくとも１つのセグメント（１２６５；２２６５）と、前記セグメントに連なり前記端壁（１２２０）に向かって延びる長手セグメント（１２７０；２２７０）と、を含むことを特徴とするカニューレ。
【請求項２】
前記切り欠き（Ｄ）は、前記端壁（１２２０）から離れる方向への移動を防ぐように構成された受止部（１２６７；１２７１）を含む、先行の請求項に記載のカニューレ。
【請求項３】
前記受止部は、前記切り欠き（Ｄ）が局所的に狭くなる部分（１２７１）を含む、先行する請求項群に記載のカニューレ。
【請求項４】
前記長手セグメント（１２７０）は、その長さの大部分にわたって幅が一定であり、
前記長手セグメント（１２７０）は、その末端である盲端（１２７２）に近づくとその２つの壁が突起して、それに応じて前記切り欠き（Ｄ）の幅が狭くなり、
前記切り欠きの幅は、前記局所的に狭くなる部分（１２７１）の前記端壁側で、その反対側と比べてより急峻に変化する、先行する請求項群に記載のカニューレ。
【請求項５】
前記切り欠き（Ｄ）は、面取りされた開口（１２５０）を有する、先行する請求項群のいずれかに記載のカニューレ。
【請求項６】
前記ブッシュ（１２００）の外側に、前記切り欠きの前記開口（１２５０）に合わせて補強部（１２９０）を備える、先行する請求項群のいずれかに記載のカニューレ。
【請求項７】
前記端壁（１２２０）にある前記流路の開口（１２３０、１２３５）は、面取りされている、先行する請求項群のいずれかに記載のカニューレ。
【請求項８】
前記流路（１１２０、１１２５）は、前記ブッシュ（１２００）の近傍で、例えばブラケット（１４００）によって補強されている、先行する請求項群のいずれかに記載のカニューレ。
【請求項９】
前記ブッシュ（１２００）の近傍、かつ前記流路が埋設されているチューブ（１１００）の周囲に把持領域（１３００）を備え、前記チューブ自体によって与えられるよりも大きな把持面が与えられる、先行する請求項群のいずれかに記載のカニューレ。
【請求項１０】
請求項１〜９のいずれかに記載の使い捨て式のカニューレを多機能歯科シリンジの端部に取り付けるためのアダプタ（２０００；３０００）であって、
前記アダプタは、少なくとも２つの流路（２２１０、２２２０；３２１０、３２２０）が互いに並んで突出する端面で終わる概ね円筒形状の端部（２２００）を有し、
前記アダプタは、
係止部（２２４０；３２４０）が、前記端部（２２００）の側壁から局所的に突出して前記使い捨て式のカニューレの前記固定ブッシュの切り欠きに嵌まり込むように構成され、
前記カニューレと前記シリンジとが、相対的な周方向の移動によって誘導され、次いで互いに固定されるまで長手方向に沿って相互に嵌め合わされることを特徴とする、アダプタ。
【発明の詳細な説明】
【技術分野】
【０００１】
本発明は、歯科用の設備および器具の分野に属する。
【背景技術】
【０００２】
歯科医の診察室には一般に、患者の方に体勢が傾いている施術者の手の届く範囲に多数の器具が組み込まれた歯科用椅子が備えられている。これらの器具のうち、設備の中心となる要素は、空気、水、および空気と水との混合物を射出するためのシリンジ（多機能シリンジまたは空気／水シリンジ）である。
【０００３】
空気／水シリンジの機能は、施術者の処置・治療がどのように進行するかによって口内の領域を施術者が洗浄および乾燥できるように、選択された流体または流体の混合物の一定した流れを送りこむことである。空気のみの機能を使用する場合には、処置・治療の良好な質を確保するためには、吹かれた空気が完全に乾燥していることが特に重要である。
【０００４】
歯科用椅子の製造業者によって、種々の異なる空気／水シリンジが存在している。これらのシリンジは、ステンレススチール製であることが多く、アルミニウム製または合成樹脂製の場合もある。これらシリンジはそれぞれ、患者の口に挿入して適切な方向に向けられるように構成された形状の末端具を備えている。この末端具は取り外し可能であるが、消耗品ではない。従って、２つの処置・治療の合間に末端具をいったん取り外した場合、その末端具を洗浄し殺菌する必要がある。これは当然費用と時間のかかる作業であり、その結果も絶対に確実なわけではない。
【０００５】
洗浄および殺菌が困難であるこのような非消耗品の末端具を使用することに代えて、二人の患者の合間にシリンジに容易に装着可能な１回使い切りの使い捨て末端具を使用することが提案されている。近年ではこのような末端具の使用がますます広がり、これにより、衛生状態の改善が可能になり、患者および施術者の利益となっている。
【０００６】
文献ＷＯ９２／０４８７８は、そのような使い捨て末端具を製造するコストを低減するという課題に関し、カニューレと金属製のアダプタとで構成されるアセンブリであって、アダプタの第１の端部で所定の種類のシリンジに接続可能であり、第２の端部で成形されたプラスチック材料からなる使い捨てカニューレの接続ブッシュに接続可能なアセンブリを記載している。並んで延びる雄型の流路がアダプタから突出しており、これら雄型の流路は、水と空気とをカニューレへ送りこむため、組立時にカニューレの雌型の流路の開口に挿入される。
【０００７】
カニューレのブッシュの内壁により支持された軸方向のスプラインをアダプタの外壁に形成された補完的な溝と合わせることにより、これら二つの部品、カニューレおよびアダプタ、が互いに方向づけられる。このように位置決めされると、これら部品は並行して動かされることにより互いに嵌め合わされ、短いストロークの後に雄型の流路が雌型の流路に入り込む。
【０００８】
しかし、上記のシステムには、カニューレとシリンジの最初の位置決めを、目視のみでスプラインを溝と合わせることによって行わなければならないという欠点がある。スプラインと溝とが大まかにしか合わせされていない状態で、使用者が急速に圧力を加えると、部品同士がわずかにずれた状態で嵌まり合い、雄型の流路が雌型の流路の壁に触れる結果になる。これにより、流路を塞ぐ可能性のあるプラスチック材料の削りくずが生じうるとともに、雄型の流路が変形する可能性もあり、多機能シリンジの機能不全につながる。
【０００９】
さらに、上記のシステムは、流体の圧力によってカニューレがシリンジから分離して脱落し、あまつさえ患者がカニューレを飲み込むことがないように、２つの部品（カニューレおよびアダプタ）の寸法が極めて良好に適合していることを前提としている。文献ＷＯ９２／０４８７８に記載されている別の形態では、弾性変形可能な複数の突出部を接続ブッシュの内面に設け、それら突出部がアダプタの周縁の溝に収容される。しかし、その解決手段では、カニューレの取り付けがさらに複雑になる。
【００１０】
最後に、文献ＷＯ９２／０４８７８のシステムでは、カニューレを取り外す際にアダプタの雄型の流路が捻じれる危険がある。カニューレをシリンジに確実に固定する必要があることを考慮すると、カニューレを取り外すためには使用者はある程度の力を働かせる必要がある。使用者は、カニューレをよりしっかりと把持しようとして、ブッシュの近傍のチューブを掴み、それを捩じろうとするかもしれない。このことは、チューブの雌型の流路に嵌め込まれている雄型の流路をも捩じる結果になる。
【００１１】
歯科シリンジ用のカニューレは、文献ＷＯ９０／０７９１２からも知られる。このカニューレは、シリンジまたはアダプタに設けられた、径方向外側に突出したバヨネット式の連結部を用いてシリンジに固定できる。このようなバヨネット式の連結部は、カニューレに形成されたＬ字状の経路と協働する。より正確に言うと、この経路は、長手方向に平行な入口部分と、この入口部分に対して９０°の角度でカニューレの周のある角度領域にわたって延びる第２部分とを有する。
【００１２】
施術者はまず、上記経路の２つの部分の交点で受け止められるまでカニューレとシリンジとを長手方向に沿って互いに動かして、バヨネット式の連結部を組み立てる。その後、カニューレとシリンジとを第２部分の端部へ向かって互いに回転させる。
【００１３】
なお、このバヨネット式の連結システムは、文献ＷＯ９２／０４８７８に記載されているようなカニューレの流路とは適合しない。なぜなら、カニューレ内に並んで配置されている流路の場合、２つの部品を長手方向に沿って互いに動かす前にそれら部品を合わせる必要があるからである。文献ＷＯ９０／０７９１２では、記載されている２つの流路が同軸であることから、提案している後半の回転操作に適合する様々な流路を提示している。
【００１４】
しかし、これら２つの流路はカニューレの外側部分にのみ存在し、シリンジおよび／またはアダプタに接続される部分には存在していないため、空気と水とを完全に分離しておくためにはガスケットを有する必要がある。このため、新たなカニューレを取り付けるたびに変化する可能性のあるガスケットの位置決めとガスケットの劣化状態とによっては、完全に乾燥した空気を得られなくなることがある。あいにく、ある歯科行為を行うためには完全に乾燥した空気が必須であり、それ故、これは、この装置の使用における重大な課題を提起する。
【発明の概要】
【００１５】
上述した種々の問題を解決するために、円形の開口と、端壁と、円筒部を含む側壁とによって定められる固定ブッシュを備える多機能歯科シリンジ用のカニューレを提供する。該カニューレは、また、上記端壁から流体射出オリフィスへと複数の流体を個々にまたはともに送り込むことが可能な少なくとも２つの流路を備え、この２つの流路は、上記端壁から並んで延びる。該カニューレは、上記円筒部が上記側壁の厚さ方向に切り欠きを有し、該切り欠きが、上記開口を始端とする少なくとも１つの横断セグメント（すなわち、筒部の軸に対して横または斜めに配置されたセグメント）、言い換えると、筒部の軸方向とは異なる方向に延びるセグメントと、それに連なる、筒部の軸に平行で端壁に向かって延びる長手セグメントとを含むことを特徴とする。
【００１６】
上記側壁の厚さ方向の切り欠きは、多機能シリンジまたはアダプタの固定用筒部の側壁が有する係止部を収容する機能を果たす。長手セグメントは、シリンジの有する雄型の流路が、係止部に対して筒部上で完全に位置決めされ、カニューレ内の雌型の流路との位置が合うまで、カニューレの軸周りの回転を誘導する機能を果たす。これにより、２つの部品がどのようにともに嵌め合わされるかについて使用者による確認が不十分となる可能性を克服できる。横断セグメントによる誘導が終わると、長手セグメントにより、部品が互いに固定されるまでの部品の嵌め合わせが可能になる。要約すると、機械的な手段であってそれ故先行技術の目視のみによる点検と比べて信頼性の高い手段により、雄型の流路と雌型の流路とが位置合わせされる。
【００１７】
これらの特徴により、カニューレを取り付ける間にプラスチック材料の削りくずが生じることが回避されるとともに、シリンジから突出している流路の変形が回避される。シリンジの耐用期間が長くなり、施術者の行う作業が簡便になる。
【００１８】
さらに、種々の流体の性質に対して十分に適合的である。従って、このシステムは使用に際して、より信頼性が高く、より衛生的で、より簡便で、より安全である。
【００１９】
これらの利点により、文献ＷＯ９２／０４８７８の開示に対して顕著な改善が達成される。この改善は、他のところから利用可能な教示内容に基づいても得られず、特に文献ＷＯ９０／０７９１２の教示内容に基づいても得られない。具体的に言うと、ＷＯ９０／０７９１２は同軸の流路を提案しており、この流路は、本発明のカニューレにおける互いに並んで開口する平行な流路とは大きく異なっている。さらに、ＷＯ９０／０７９１２は、並行して動いた際の受止位置を提案しておらず、また、本発明のある実施形態の場合のような２つの異なる受止位置も提案していない。
【００２０】
有利には、切り欠きは、端壁から離れる方向への移動を防ぐ受止部を含む。
【００２１】
この受止部により、ブッシュの直径の製造公差が大きい場合であっても、射出されている流体によって発生する圧力の影響を受けてカニューレが脱離する危険が回避される。これにより、患者がカニューレを飲み込む危険が回避される。
【００２２】
例えば、並行して動くこと（並行移動）に対する受止部は、切り欠きが局所的に狭くなる部分を含む。これにより、カニューレはシリンジに係止され、施術者が使用している間、カニューレは移動しない。これにより、各部品の直径の公差がより大きくなってもよいので、製造が容易になる。
【００２３】
好ましくは、切り欠きの幅は、局所的に狭くなる部分について、並行移動に対する受止部の第２の位置側で、その反対側と比べてより急峻に変化する。これにより、カニューレの取り付けがさらに容易になる。
【００２４】
有利には、切り欠きは面取りされた開口を有する。これにより、使用者が部品を急いで取り扱うことで十分に位置合わせをしなかった場合でも、アダプタの係止部を切り欠きの内部へ誘導できる。
【００２５】
有利には、カニューレは、ブッシュの外側に、切り欠きの開口に合わせて補強部を備える。このような補強部は、部品の機械的な一体性を確保する機能を果たす。
【００２６】
さらに有利には、端壁にある流路の開口が面取りされている。これにより、たとえアダプタの雄型の流路がカニューレの雌型の流路に対して十分に位置決めされていなかったとしても、面取り部による誘導によって相互の嵌め合わせが容易になる。
【００２７】
１つの有利な実施形態では、流路がブッシュの近傍で、例えばブラケットによって補強されている。これにより、カニューレを取り外そうとした使用者が、カニューレを捩じるのが早すぎたことにより、雌型の流路に嵌め合わされた雄型の流路が捻じれてしまう危険がない。ブラケットは、このようなあらゆる捻じれを防止する機能を果たす。
【００２８】
別の有利な側面では、カニューレは、流路が埋設されているチューブの周囲に把持領域を有し、チューブ自体によって与えられるよりも大きな把持面が与えられる。これにより、カニューレを取り外す際に、使用者が力を制御して加えることができる。
【００２９】
本発明の第２の側面では、多機能歯科シリンジの端部に使い捨て式のカニューレを取り付けるためのアダプタが提供される。該アダプタは、少なくとも２つの流路が並んで突出する端面で終わる概ね円筒形状の端部を有し、該端部の側壁から係止部が局所的に突出していることを特徴とする。このようなアダプタは、上述した使い捨て式のカニューレを多機能シリンジに取り付けるために使用される。
【００３０】
本発明について、以下の図を参照して説明する。
【図面の簡単な説明】
【００３１】
【図１】図１は、本発明の一実施形態におけるカニューレの前方斜視図である。
【図２】図２は、図１のカニューレの固定ブッシュの内部図である。
【図３】図３は、本発明のアダプタの第１の実施形態の図である。
【図４】図４は、本発明のアダプタの第２の実施形態の図である。
【図５】図５は、図１および図２のカニューレのブッシュの切り欠きの詳細図である。
【図６】図６は、同じ切り欠きの第２の詳細図である。
【図７】図７は、図１、２、５、および６のカニューレを異なる角度から見た図である。
【図８】図８は、本発明の第２の実施形態を示す。
【図９】図９は、図１〜７のカニューレの断面図である。
【発明を実施するための形態】
【００３２】
図１は、本発明の一実施形態におけるカニューレ１０００を示している。カニューレ１０００はプラスチック成形部品であり、その各種要素が一体品として形成されている。カニューレ１０００は、アダプタを介して多機能歯科シリンジに取り付けるためのものである。その全長は、例えば、およそ５．５センチメートル（ｃｍ）である。
【００３３】
第１のアプローチでは、カニューレ１０００は２つの主要部分、すなわちチューブ１１００とブッシュ１２００とから構成される。
【００３４】
チューブ１１００は、細長い筒形状である。チューブ１１００は断面が横長であり、その全長を貫く２つの互いに平行な孔を内部に有し、その孔は、シリンジによって射出される流体のための流路１１２０および１１２５を形成している。これら流路は同様の直径を有し、並んで配置されている。
【００３５】
チューブ１１００のブッシュ１２００から離れた端部は自由であり、丸みのある面取りされた形状をしていてもよい（図９の断面図を参照）。その表面は、チューブ１１００の軸に対して傾斜したチューブ１１００の端面を構成する。この面には、流体としての空気および水をカニューレから患者の口内へ射出するための２つのオリフィスがある。ある実施形態では、流路１１２０および１１２５は、空気と水とを同時に射出する際に空気と水との混合噴射液を形成するのに適した特定の内部構造を射出オリフィスの近傍に有する。
【００３６】
ブッシュ１２００は、チューブ１１００と同軸であるとともに円断面の端面１２１０および１２２０を有する概ね中空の円筒である。前者の端面は中空であって後者の端面は中実である。ブッシュ１２００の側壁は、例えば厚さがおよそ１ミリメートル（ｍｍ）である。ブッシュの直径は１ｃｍよりわずかに大きい。これらの寸法は変更可能である。
【００３７】
チューブ１１００は、ブッシュ１２００の端面１２２０の中心に対して直角に取り付けられている。
【００３８】
カニューレ１０００はまた、参照符号１２９０、１３００および１４００を付した補強および結合要素を有している。これらの要素については以降の図を参照して説明する。注目すべきこととして、カニューレ１０００は、ブッシュの壁に切り欠きＤを有している。この切り欠きについては、後にさらに詳細に説明する。
【００３９】
図２は、カニューレ１０００の固定ブッシュの内部を示している。開口端面１２１０を通して固定ブッシュの内部が示されている。チューブ１１００は後景に示されている。
【００４０】
ブッシュ１２００の下部に、端面１２２０の内壁が見える。この壁１２２０には、流路１１２０および１１２５の開口１２３０および１２３５が穿たれている。これらの開口１２３０および１２３５は、壁１２２０の中心の近傍に、チューブ１１００に合わせて配置されている。
【００４１】
有利には、開口１２３０および１２３５もまた、例えばおよそ４５°の角度で面取りされている。
【００４２】
ブッシュ１２００の内壁には、カニューレのシリンジへの取り付けをより容易にするための鍵となる部材として働くスプライン１２４０がある。このスプラインは、壁１２２０に始端が接し、長手方向に延びて、ブッシュ１２００の長さのおよそ２／３まで至っている。スプライン１２４０の幅は、およそ１０°である。その末端部は丸みを帯びている。スプライン１２４０はまた、ブッシュ１２００の軸に面する平坦な面を有する。
【００４３】
特に注目すべきこととして、ブッシュ１２００の側壁は、その壁を径方向に貫通する切り欠きＤを有している。この切り欠きは、ブッシュ１２００の周方向の限られた範囲にあり、およそ２０°を占めている。開口端面１２１０にある切り欠きＤの始端が参照符号１２５０とともに示されているが、この参照符号１２５０は、開口端面１２１０にある切り欠きの開口を指示している。この開口１２５０の両側において、ブッシュ１２００の壁は、例えばおよそ４５°の角度で面取りされている。
【００４４】
切り欠きＤの正確な形状については、以降の図面を参照して、後にさらに詳細に説明する。
【００４５】
補強部１２９０は、記載する実施形態において完全に円対称であるものとして示されているが、ブッシュ１２００の外側の表面に、端面１２１０に合わせて、詳細には開口１２５０を覆うようにして存在している。補強部の厚さは、長手方向におよそ１ｍｍであってよく、径方向におよそ１ｍｍであってよい。
【００４６】
図３は、図１および図２に示すカニューレ１０００と協働する本発明のアダプタの第１の実施形態を示している。このアダプタは、ステンレススチール、またはアルミニウム、さらにまたは合成樹脂から作られる。アダプタは、長手方向に連続して配置された２つのセクションから構成されている。
【００４７】
第１セクション２１００は、多機能歯科シリンジに取り付けるためのセクションである。このセクションは、既知の歯科用椅子の製造業者によって提供される既知の多機能歯科シリンジの種類に対して特有となる。
【００４８】
参照符号２２００を付した第２セクションは、図１および図２に示す種類のカニューレに取り付けるためのセクションである。このセクションは、概ね回転対称を有し、概ね筒形状であり、この筒の垂直かつ平坦な部分である自由端部を有する。この端部から雄型の金属製の流路が突出し、カニューレ１０００内の流路の開口１２３０および１２３５に嵌め合わされるのに適している。長手スロット２２３０が、カニューレ１０００のスプライン１２４０を収容するように構成されている。
【００４９】
最後に、注目すべきこととして、係止部２２４０が、筒の所定の周方向領域において局所的に、セクション２２００の壁から径方向に突出している。この係止部２２４０は、ブッシュ１２００の切り欠きＤに開口１２５０を介して、嵌め合わされるように構成されている。
【００５０】
図４には、本発明の第２の実施形態におけるアダプタ３０００を見ることができる。このアダプタ３０００は、図３に示すアダプタ２０００と同様に、既知の歯科用椅子の製造業者によって提供される既知の多機能歯科シリンジの端部へ取り付けることを可能にする第１セクション３１００を有している。
【００５１】
アダプタ３０００はまた、カニューレ１０００に取り付けるためのセクション３２００を有する。セクション３２００は、図３を参照して説明したセクション２２００と全く同様である。
【００５２】
以下、図５および図６を参照して、ブッシュ１２００の壁に存在する切り欠きＤの形状について詳細に説明する。この切り欠きは、スプライン１２４０のおおよそ正反対の位置にある。
【００５３】
この切り欠きＤは、端面１２１０において開口１２５０を始端とし、次いでブッシュの長手方向に延びる、幅が一定の第１セグメントを有する。図６では、このセグメントに参照符号１２６０を付している。その第１セグメント１２６０に第２セグメント１２６５が直角に連なっている。すなわち、第２セグメント１２６５は、ブッシュに対して周方向に、およそ１０°を占める周方向領域にわたって延びている。このセグメント１２６５は常に幅が一定である。その第２セグメント１２６５に、参照符号１２７０を付した細長の第３セグメントが直角に連なっており、第１セグメント１２６０と同じく、チューブ１１００に向かって長手方向に延びている。
【００５４】
第３セグメント１２７０の長さは、第１セグメント１２６０の長さの実質的に二倍である。第３セグメントは盲端１２７２で終わっている。セグメント１２７０は、その長さの大部分にわたって幅が一定である。しかし、端部１２７２に近づくと、セグメント１２７０の２つの壁に２つの突起が現れて、その突起の位置で切り欠きの幅が狭くなる。
【００５５】
セグメント１２６０および１２６５の間の角部１２６２が、施術者がカニューレをシリンジに取り付ける際に切り欠きに進入する係止部２２４０または３２４０の並行移動を受け止める位置である受止位置を定める。この受止位置により、使用者が十分に行えない可能性のある２つの部品の最初の嵌め合わせ、特にカニューレおよびシリンジ間の周方向の位置合わせの際に、シリンジまたはアダプタの有する雄型の流路が嵌め合わされないように保つことができる。
【００５６】
また、セグメント１２６５および１２７０の間の角部１２６７が、カニューレを取り付ける最中に係止部の回転移動が防止される受止位置を定める。この受止位置は、セグメント１２６５の誘導機能を示すものであって、この受止位置により、カニューレとシリンジとの周方向の位置合わせ、ひいては雄型の流路と雌型の流路との周方向の位置合わせを確実にすることができる。このことは、先行技術の完全に目視に頼った位置合わせと比べてより有効であるように機械的に達成される。
【００５７】
セグメント１２７０は、この段階で雄型の流路が正しく位置決めされている場合に、雄型の流路の雌型の流路への挿入を可能にする。
【００５８】
また、セグメント１２６５および１２７０の間の角部１２６７は、シリンジからカニューレ１０００を分離する際に係止部の並行移動を受け止める受止位置を定める。この側面により、嵌合が不十分であったカニューレが射出された液体または空気の流れ作用を受けて患者の口内に脱落することを防止する安全機能が果たされる。
【００５９】
図７は、カニューレ１０００を側面図により示している。チューブ１１００とブッシュ１２００を見ることができる。以下、上述した図に既に見ることができる結合・補強要素について説明する。
【００６０】
有利には、カニューレ１０００は、ブッシュ１２００の端面１２２０における互いに正反対の位置にある２つの点を起点とするアーチ部１３００を有する。アーチ部１３００は端面１２２０に対して垂直な平面を定めている。チューブ１１００の断面の長さ部分はこの平面にある。アーチ部１３００の内側には、カニューレを操作しようとする、特にシリンジからカニューレを取り外そうとする使用者のためのさらなる把持部を構成する物質面がチューブ１１００の根元部の周囲に形成されている。使用者は、アーチ部の一方の側に親指を置くとともにアーチ部の反対側に別の指を置くことができ、これによりカニューレを把持するために大きな面を利用できる。
【００６１】
チューブ１１００と端面１２２０の壁との間に、２つの角ブラケット１４００がアーチ部１３００の平面に対して垂直に配置されている。これらのブラケットは、チューブ１１００とブッシュ１２００との継ぎ目の補強部を構成している。これらブラケットは、チューブ１１００の断面の長さ方向に平行な軸周りの捻じれを防止する。例えば、２つのブラケット１４００は、ブッシュの軸に関して互いに対称に配置される。
【００６２】
アーチ部１３００の高さは、チューブ１１００の高さのおよそ１／５である。ブラケット１４００の高さは、アーチ部１３００の高さのおよそ１／４である。これらの比率は変更してもよい。
【００６３】
１つの変形例では、ブッシュ１２００は中空の筒部のみで構成されるのではなく、中空の筒部とチューブ１１００との間に中空の円錐台部を備える。このような円錐台部は、アダプタの端部の補完的な形状と適合してもよい。雌型の流路の開口が円錐台部の端壁に位置し、アダプタの雄型の流路が円錐台部に対して補完的な形状をした端部に位置している。
【００６４】
上記変形例と組み合わせ可能な別の変形例では、筒部の壁の切り欠きが壁を貫通せずに、壁の内面に溝のみを形成する。
【００６５】
別の実施形態では、切り欠きは壁の外面にあり、カニューレは、内側を向いた係止部を有するさらなる外側筒部を有するアダプタと協働する。
【００６６】
さらに、図８に示すような切り欠きの別の実施形態では、切り欠きは、２つのセグメントのみを含む。すなわち、セグメント１２６０および１２６５が、筒部の軸に垂直ではない方向、例えば４５°の方向に筒部を横切って延びる単一のセグメント２２６５によって置き換えられている。図６の実施形態のセグメント１２６５と同様に、セグメント２２６５の役割は、カニューレおよびシリンジの互いに対する周方向の移動を誘導することである。長手セグメント２２７０はセグメント１２７０と同様であって、部品が互いに固定されるまでの相互の嵌め合わせを可能にする。スプライン１２４０およびスロット２２３０の寸法は、セグメント２２６０および２２７０によって定められる行路に適合するように調整される。
【００６７】
本発明は、上述した実施形態に限定されず、請求項の射程の範囲内のあらゆる変形例に及ぶ。
【図１】
2015500076.tif 000003
【図２】
2015500076.tif 000004
【図３】
2015500076.tif 000005
【図４】
2015500076.tif 000006
【図５】
2015500076.tif 000007
【図６】
2015500076.tif 000008
【図７】
2015500076.tif 000009
【図８】
2015500076.tif 000010
【図９】
2015500076.tif 000011
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
多機能歯科シリンジ用のカニューレであって、前記カニューレは、円形開口と、端壁と、円筒部を構成する側壁とによって定められる固定ブッシュを備え、
前記カニューレは、
前記端壁から流体射出オリフィスへと複数の流体を個々にまたはともに送り込むことが可能な少なくとも２つの流路をさらに備え、
前記２つの流路は、前記端壁から互いに並んで始まり、
前記カニューレは、
前記円筒部が、その壁の厚さ方向に切り欠きを有し、
前記切り欠きが、前記開口側から順に、前記筒部の軸方向以外の方向に延びる少なくとも１つのセグメントと、前記セグメントに連なり前記端壁に向かって延びる長手セグメントと、を含むことを特徴とするカニューレ。
【請求項２】
前記切り欠きは、前記端壁から離れる方向への移動を防ぐように構成された受止部を含む、請求項１に記載のカニューレ。
【請求項３】
前記受止部は、前記切り欠きが局所的に狭くなる部分を含む、請求項２に記載のカニューレ。
【請求項４】
前記長手セグメントは、その長さの大部分にわたって幅が一定であり、
前記長手セグメントは、その末端である盲端に近づくとその２つの壁が突起して、それに応じて前記切り欠きの幅が狭くなり、
前記切り欠きの幅は、前記局所的に狭くなる部分の前記端壁側で、その反対側と比べてより急峻に変化する、請求項３に記載のカニューレ。
【請求項５】
前記切り欠きは、面取りされた開口を有する、請求項１に記載のカニューレ。
【請求項６】
前記ブッシュの外側に、前記切り欠きの前記開口に合わせて補強部を備える、請求項１に記載のカニューレ。
【請求項７】
前記端壁にある前記流路の開口は、面取りされている、請求項１に記載のカニューレ。
【請求項８】
前記流路は、前記ブッシュの近傍で、例えばブラケットによって補強されている、請求項１に記載のカニューレ。
【請求項９】
前記ブッシュの近傍、かつ前記流路が埋設されているチューブの周囲に把持領域を備え、前記チューブ自体によって与えられるよりも大きな把持面が与えられる、請求項１に記載のカニューレ。
【請求項１０】
請求項１〜９のいずれかに記載の使い捨て式のカニューレを多機能歯科シリンジの端部に取り付けるためのアダプタであって、
前記アダプタは、少なくとも２つの流路が互いに並んで突出する端面で終わる概ね円筒形状の端部を有し、
前記アダプタは、
係止部が、前記端部の側壁から局所的に突出して前記使い捨て式のカニューレの前記固定ブッシュの切り欠きに嵌まり込むように構成され、
前記カニューレと前記シリンジとが、相対的な周方向の移動によって誘導され、次いで互いに固定されるまで長手方向に沿って相互に嵌め合わされることを特徴とする、アダプタ。
【国際調査報告】
2015500076.tif 000012
2015500076.tif 000013
2015500076.tif 000014
2015500076.tif 000015